(57)【要約】      （修正有）【課題】未使用状態における洗滌ブラシに起因する回転ローラとガイド部材との少なくとも一方の変形を確実に防止できるとともに、洗滌ブラシユニット内の状態を容易に視認できる構成を有する内視鏡洗滌消毒装置を提供する。【解決手段】洗滌ブラシユニット２０には、洗滌ブラシ１００を、洗滌ブラシ収容室と管路との間で送り戻しする駆動ローラ３４と、洗滌ブラシ１００を挟接位置において駆動ローラ３４との間で挟み込むガイド部材３５と、洗滌ブラシユニット２０が装置本体に未装着の際、ガイド部材３５を、駆動ローラ３４から離間した離間位置に固定する固定部材３６と、が具備されており、装置本体には、洗滌ブラシユニット２０が装置本体に装着された際、固定手段３６による位置固定を解除して、ガイド部材３５を、挟接位置に移動させる解除ピンが具備されていることを特徴とする。【選択図】図４
2007289511.tif 000002
【特許請求の範囲】
【請求項１】
洗滌ブラシを、装置本体の洗滌消毒槽に収容された内視鏡の管路に自動的に挿抜して前記管路を洗滌する、前記装置本体に着脱自在な洗滌ブラシユニットを具備する内視鏡洗滌消毒装置であって、
前記洗滌ブラシユニットには、
前記洗滌ブラシが収容自在な洗滌ブラシ収容室と、
前記洗滌ブラシを、前記洗滌ブラシ収容室から前記管路に送り出す、または前記管路から前記洗滌ブラシ収容室に引き戻す送り戻し手段と、
前記洗滌ブラシを挟接位置において前記送り戻し手段との間で挟み込むことにより、前記洗滌ブラシを前記送り戻し手段にガイドするとともに、前記洗滌ブラシを前記送り戻し手段とともに送り出すまたは引き戻すガイド手段と、
前記洗滌ブラシユニットが前記装置本体に未装着の際、前記ガイド手段を、前記送り戻し手段から離間した離間位置に固定する固定手段と、
が具備されており、
前記洗滌ブラシユニットと前記装置本体との少なくとも一方には、
前記洗滌ブラシユニットが前記装置本体に装着された際、前記固定手段による位置固定を解除して、前記ガイド手段を、前記挟接位置に移動させる解除手段が具備されていることを特徴とする内視鏡洗滌消毒装置。
【請求項２】
前記洗滌ブラシユニットには、前記ガイド手段を、前記送り戻し手段に対し前記挟接位置まで付勢する付勢手段がさらに具備されており、
前記固定手段は、前記洗滌ブラシユニットの底面から前記ガイド手段と同じ高さまたは以下の高さにおいて位置された腕部により、前記付勢手段による前記付勢を妨げる、前記底面に脚部が固定された固定部材であり、
前記解除手段は、前記固定部材の前記腕部を、前記ガイド手段よりも前記底面から高く持ち上げることにより、前記腕部による前記付勢の妨げを解除する、前記装置本体に設けられた解除ピンであることを特徴とする請求項１に記載の内視鏡洗滌消毒装置。
【請求項３】
前記ガイド手段には、前記洗滌ブラシの送り戻し方向及び前記送り戻し手段へと移動する移動方向に対し直交する高さ方向に、貫通孔が形成されており、
前記固定手段は、前記ガイド手段を、前記洗滌ブラシの前記送り戻し方向において挟持し、前記ガイド手段を前記離間位置に固定するバネ性を有する固定部材であり、
前記解除手段は、前記貫通孔に嵌入され、前記移動方向を指向する前記高さ方向先端に形成されたテーパ面により、前記固定部材による前記ガイド手段の挟持を解除する、前記装置本体に設けられた解除ピンであることを特徴とする請求項１に記載の内視鏡洗滌消毒装置。
【請求項４】
前記ガイド手段には、前記洗滌ブラシの送り戻し方向及び前記送り戻し手段へと移動する移動方向に対し直交する高さ方向に、貫通孔が形成されており、
前記固定手段は、前記ガイド手段を、前記洗滌ブラシの前記送り戻し方向において挟持し、前記ガイド手段を前記離間位置に固定するバネ性を有する固定部材であり、
前記解除手段は、前記貫通孔に嵌入され、前記固定部材による前記ガイド手段の挟持を解除する前記装置本体または前記洗滌ブラシユニットに設けられた解除ピンと、該解除ピンを前記離間位置から前記挟接位置まで移動させる前記装置本体に設けられた移動手段とを具備していることを特徴とする請求項１に記載の内視鏡洗滌消毒装置。
【請求項５】
前記装置本体は、該装置本体に対する前記洗滌ブラシユニットの装着脱却を検知するセンサをさらに具備し、
前記センサにより前記装着が検知された際、前記移動手段は、前記解除ピンを、前記離間位置から前記挟接位置まで移動させ、前記挟接部材による前記ガイド手段の挟持を解除し、
前記センサにより前記脱却が検知された際、前記移動手段は、前記解除ピンを、前記挟接位置から前記離間位置まで移動させることを特徴とする請求項４に記載の内視鏡洗滌消毒装置。
【請求項６】
前記洗滌ブラシユニットは、少なくとも前記送り戻し手段と前記ガイド手段と前記固定手段とを被覆する外装部材を具備し、
前記外装部材の少なくとも一部は、透明部材または半透明部材から構成されていることを特徴とする請求項１〜５のいずれか１項に記載の内視鏡洗滌消毒装置。
【請求項７】
洗滌ブラシを、装置本体の洗滌消毒槽に収容された内視鏡の管路に自動的に挿抜して前記管路を洗滌する、前記装置本体に着脱自在な洗滌ブラシユニットであって、
前記洗滌ブラシが収容自在な洗滌ブラシ収容室と、
前記洗滌ブラシを、前記洗滌ブラシ収容室から前記管路に送り出す、または前記管路から前記洗滌ブラシ収容室に引き戻す送り戻し手段と、
前記洗滌ブラシを挟接位置において前記送り戻し手段との間で挟み込むことにより、前記洗滌ブラシを前記送り戻し手段にガイドするとともに、前記洗滌ブラシを前記送り戻し手段とともに送り出すまたは引き戻すガイド手段と、
前記装置本体に未装着の際、前記ガイド手段を、前記送り戻し手段から離間した離間位置に固定する固定手段と、
が具備されていることを特徴とする洗滌ブラシユニット。
【請求項８】
前記ガイド手段を、前記送り戻し手段に対し前記挟接位置まで付勢する付勢手段をさらに具備し、
前記固定手段は、前記洗滌ブラシユニットの底面から前記ガイド手段と同じ高さまたは以下の高さにおいて位置された腕部により、前記付勢手段による前記付勢を妨げる、前記底面に脚部が固定された固定部材であることを特徴とする請求項７に記載の洗滌ブラシユニット。
【請求項９】
前記ガイド手段には、前記洗滌ブラシの送り戻し方向及び前記送り戻し手段へと移動する移動方向に対し直交する高さ方向に、貫通孔が形成されており、
前記固定手段は、前記ガイド手段を、前記洗滌ブラシの前記送り戻し方向において挟持し、前記ガイド手段を前記離間位置に固定するバネ性を有する固定部材であることを特徴とする請求項７に記載の洗滌ブラシユニット。
【請求項１０】
前記固定手段は、前記ガイド手段を、前記洗滌ブラシの前記送り戻し方向において挟持し、前記ガイド手段を前記離間位置に固定するバネ性を有する固定部材であり、
前記固定手段または前記ガイド手段に、前記装置本体に装着後、前記離間位置から前記挟接位置まで移動する解除ピンが形成されており、
前記装置本体に装着後、前記解除ピンが前記装置本体に設けられた移動手段により前記離間位置から前記挟接位置まで移動されることにより、前記ガイド手段は、前記離間位置から前記挟接位置まで移動され、
前記装置本体から脱却後、前記解除ピンが前記移動手段により前記挟接位置から前記離間位置まで移動されることにより、前記ガイド手段は、前記挟接位置から前記離間位置まで移動されることを特徴とする請求項７に記載の洗滌ブラシユニット。
【請求項１１】
少なくとも前記送り戻し手段と前記ガイド手段と前記固定手段とを被覆する外装部材をさらに具備し、
前記外装部材の少なくとも一部は、透明部材または半透明部材から構成されていることを特徴とする請求項７〜１０のいずれか１項に記載の洗滌ブラシユニット。
【発明の詳細な説明】
【技術分野】
【０００１】
本発明は、洗滌ブラシを、装置本体の洗滌消毒槽に収容された内視鏡の管路に自動的に挿抜して前記管路を洗滌する、前記装置本体に着脱自在な洗滌ブラシユニットを具備する内視鏡洗滌消毒装置、洗滌ブラシユニットに関する。
【背景技術】
【０００２】
体腔内の検査や治療の目的に使用される内視鏡は、体腔内に挿入する挿入部の外表面だけでなく、送気送水管路、前方送水管路、吸引管路を兼ねた処置具挿通用管路等の各内視鏡管路にも汚物が付着する。そのため、使用済みの内視鏡は、外表面に限らず、必ず各管路までも洗滌、消毒する必要がある。このため、近年では、内視鏡の各管路までをも自動的に洗滌消毒することができる内視鏡洗滌消毒装置が実用化されている。
【０００３】
また、内視鏡の管路、特に、吸引管路を兼ねた処置具挿通用管路は、内視鏡を用いた検査、処置において採取した体腔内の組織等が通過するため、管路に、内視鏡洗滌消毒装置では除去し難い汚物が付着しやすい。
【０００４】
そこで、使用者は、内視鏡の各管路の洗滌性を高めるため、内視鏡洗滌消毒装置を用いた洗滌消毒に先立って、例えば細長のシャフトの先端にブラシ部が固定された洗滌ブラシを、内視鏡の各管路に対し挿入して擦り洗いを行うことにより、内視鏡の各管路を予備洗滌し、各管路に付着した汚物を除去することを一般に行っている。
【０００５】
しかしながら、使用者にとって、洗滌ブラシを内視鏡の各管路に挿入し、擦り洗いによる予備洗滌を行うことは大変煩雑であり、内視鏡の洗滌消毒に対する作業時間の増加を招いてしまうといった問題があった。
【０００６】
このような問題に鑑み、洗滌ブラシを内視鏡の各管路に自動的に挿入し、該挿入した洗滌ブラシを進退駆動することで、容易かつ短時間にて内視鏡の各管路を確実に洗滌することのできる内視鏡洗滌装置が開示されている。
【０００７】
このような内視鏡洗滌消毒装置は、内視鏡の各管路に対し、洗滌ブラシを送り出すまたは引き戻す、回転モータが接続された回転ローラを具備する洗滌ブラシユニットを有している。
【０００８】
また、特許文献１に開示された洗滌装置では、確実に各管路に対し洗滌ブラシを挿抜するため、回転ローラの他、該回転ローラとの間で洗滌ブラシを挟み込むことにより、回転ローラに洗滌ブラシを案内するとともに、洗滌ブラシとともに内視鏡の各管路に洗滌ブラシを送り出すまたは引き戻すガイド部材である補助ローラを具備した構成を有している。
【０００９】
また、特許文献１では、洗滌ブラシの送り出しまたは引き戻しを行わない際は、回転ローラ及び補助ローラの回転を電磁弁により固定することにより、未使用の際の洗滌ブラシの意図しない移動を防止する構成が開示されている。
【特許文献１】特開平８−２５２２１９号公報
【発明の開示】
【発明が解決しようとする課題】
【００１０】
ところで、回転ローラとガイド部材とにより洗滌ブラシを挟み込んで、洗滌ブラシを送り出すまたは引き戻す構成においては、回転ローラとガイド部材とが、常に洗滌ブラシを挟み込んでいるため、輸送の際や保管の際等、内視鏡洗滌消毒装置を、長期間使用しない場合には、回転ローラとガイド部材との少なくとも一方が変形してしまう場合があり、この場合、内視鏡の各管路を洗滌する際に、洗滌ブラシの送り出しまたは引き戻しが行い難くなってしまうといった問題がある。
【００１１】
また、回転ローラやガイド部材は、洗滌ブラシユニット内に配設されているため、回転ローラやガイド部材の変形が視認できない他、洗滌後に洗滌ブラシユニット内にブラシを引き戻して収容すると、洗滌前と外観が同じ状態となるため、洗滌ブラシが未使用品か使用済み品かの識別が困難となる。これらのことから、洗滌ブラシユニット内の状態を容易に視認できる構成が望まれていた。
【００１２】
本発明の目的は、上記事情及び問題に鑑みてなされたものであり、未使用状態における洗滌ブラシに起因する回転ローラとガイド部材との少なくとも一方の変形を確実に防止できるとともに、洗滌ブラシユニット内の状態を容易に視認できる構成を有する内視鏡洗滌消毒装置、洗滌ブラシユニットを提供するにある。
【課題を解決するための手段】
【００１３】
上記目的を達成するため本発明による内視鏡洗滌消毒装置は、洗滌ブラシを、装置本体の洗滌消毒槽に収容された内視鏡の管路に自動的に挿抜して前記管路を洗滌する、前記装置本体に着脱自在な洗滌ブラシユニットを具備する内視鏡洗滌消毒装置であって、前記洗滌ブラシユニットには、前記洗滌ブラシが収容自在な洗滌ブラシ収容室と、前記洗滌ブラシを、前記洗滌ブラシ収容室から前記管路に送り出す、または前記管路から前記洗滌ブラシ収容室に引き戻す送り戻し手段と、前記洗滌ブラシを挟接位置において前記送り戻し手段との間で挟み込むことにより、前記洗滌ブラシを前記送り戻し手段にガイドするとともに、前記洗滌ブラシを前記送り戻し手段とともに送り出すまたは引き戻すガイド手段と、前記洗滌ブラシユニットが前記装置本体に未装着の際、前記ガイド手段を、前記送り戻し手段から離間した離間位置に固定する固定手段と、が具備されており、前記洗滌ブラシユニットと前記装置本体との少なくとも一方には、前記洗滌ブラシユニットが前記装置本体に装着された際、前記固定手段による位置固定を解除して、前記ガイド手段を、前記挟接位置に移動させる解除手段が具備されていることを特徴とする。
【００１４】
また、上記目的を達成するため本発明による洗滌ブラシユニットは、洗滌ブラシを、装置本体の洗滌消毒槽に収容された内視鏡の管路に自動的に挿抜して前記管路を洗滌する、前記装置本体に着脱自在な洗滌ブラシユニットであって、前記洗滌ブラシが収容自在な洗滌ブラシ収容室と、前記洗滌ブラシを、前記洗滌ブラシ収容室から前記管路に送り出す、または前記管路から前記洗滌ブラシ収容室に引き戻す送り戻し手段と、前記洗滌ブラシを挟接位置において前記送り戻し手段との間で挟み込むことにより、前記洗滌ブラシを前記送り戻し手段にガイドするとともに、前記洗滌ブラシを前記送り戻し手段とともに送り出すまたは引き戻すガイド手段と、前記装置本体に未装着の際、前記ガイド手段を、前記送り戻し手段から離間した離間位置に固定する固定手段と、が具備されていることを特徴とする。
【発明の効果】
【００１５】
本発明によれば、未使用状態における洗滌ブラシに起因する回転ローラとガイド部材との少なくとも一方の変形を確実に防止できるとともに、洗滌ブラシユニット内の状態を容易に視認できる構成を有する内視鏡洗滌消毒装置、洗滌ブラシユニットを提供することができる。
【００１６】
即ち、内視鏡の管路を自動で洗滌する洗滌ブラシユニットを輸送または保管等する場合には、洗滌ブラシを挟み込んでいる回転ローラとガイド部材とを離した状態でガイド部材を固定する。このことから、回転ローラとガイド部材とが変形しないため、従来の、常に洗滌ブラシを挟み込む回転ローラとガイド部材とによる構成よりも、長期間の輸送や長期間の保管を行うことができる。
【００１７】
また、内視鏡洗滌消毒装置の装置本体に洗滌ブラシユニットを装着することにより、回転ローラとガイド部材とが離れた状態でのガイド部材の固定が自動的に解除され、その後、洗滌ブラシを、回転ローラとガイド部材とが挟み込むことにより、長期間の輸送や長時間の保管をした後であっても、回転ローラとガイド部材とにより、確実に洗滌ブラシを内視鏡の各管路へ送り出すまたは引き戻すことができる。
【００１８】
また、洗滌ブラシユニットの外装を内部視認できるようにするとともに、洗滌ブラシユニットを内視鏡洗滌装置に装着した後に、ガイド部材が固定位置に戻らない構成を有していることにより、洗滌ブラシが使用済み品であることが容易に識別でき、誤使用の防止を図ることができるとともに、回転ローラやガイド部材の変形を確実に視認することができる。
【発明を実施するための最良の形態】
【００１９】
以下、図面を参照して本発明の実施の形態を説明する。  
（第１実施の形態）
図１は、本発明の第１実施の形態を示す内視鏡洗滌消毒装置を、トップカバーが開成された状態で、洗滌消毒槽に収容された内視鏡とともに示す斜視図、図２は、図１の内視鏡洗滌消毒装置を、トップカバーが閉成された状態で示す斜視図である。
【００２０】
図１に示すように、内視鏡洗滌消毒装置１は、装置本体２と、この装置本体２の上面に開閉自在な蓋体であるトップカバー３とにより主要部が構成されている。
【００２１】
装置本体２の上面部には、洗滌消毒される内視鏡５０が収容される洗滌消毒槽４と、後述する洗滌ブラシユニット２０が配設される内視鏡管路洗滌ブラシユニット設置部（以下ではユニット設置部と略記する）５とが形成されている。
【００２２】
洗滌消毒槽４は、内視鏡５０の操作部５１の形状に合わせて形成された操作部載置部６と、内視鏡５０の挿入部５２が巻回されて載置される挿入部載置部７とを具備している。
【００２３】
挿入部載置部７に、巻回されて配置された挿入部５２同士を離間させて保持する複数の保持体４ａが、平面的にみてリング状に配設されている。また、挿入部載置部７におけるリング状の複数の保持体４ａの中央に、内視鏡５０の釦類、鉗子栓等を収容して、該釦類及び鉗子栓等を内視鏡５０と共に洗滌消毒する図示しない洗滌ケースを設置する洗滌ケース設置部４ｂが配設されている。
【００２４】
ユニット設置部５は、洗滌消毒槽４の操作部載置部６の近傍に形成されており、ユニット設置部５には、内視鏡５０に配設される内視鏡管路、例えば吸引管路を兼ねる処置具挿通管路を洗滌するための洗滌ブラシユニット２０が着脱自在となっている。
【００２５】
洗滌ブラシユニット２０は、内視鏡５０の処置具挿通管路に、洗滌液、消毒液等の流体を供給するとともに、後述する洗滌ブラシ１００（図３参照）を挿入するためのものであり、例えばディスポーザブルな部材により形成されている。尚、洗滌ブラシユニット２０及びユニット設置部５の詳しい構成は後述する。尚、洗浄ブラシユニット２０は、ディスポーザブルな部材に限定されない。
【００２６】
内視鏡洗滌消毒装置１のトップカバー３における洗滌ブラシユニット２０に対向する位置に、凹状のカセットカバー部３ａが形成されている。カセットカバー部３ａは、トップカバー３が装置本体２に対して閉成された際、背面部３ｈに、ユニット設置部５に装着された洗滌ブラシユニット２０が当接されるのを防ぐものである。尚、トップカバー３は、透明、若しくは半透明な部材により形成されていることから、洗滌消毒槽４内及び洗滌ブラシユニット２０を、トップカバー３が閉成された状態であっても視認可能としている。
【００２７】
また、図２に示すように、トップカバー３の、例えば上面には、スタート、ストップ、各種工程表示、経過時間表示、洗滌消毒工程の設定などの各種操作を行える操作指示部８が配設されている。
【００２８】
装置本体２内に、洗滌消毒槽４及びユニット設置部５へ、洗滌液、消毒液、濯ぎ水、アルコール、エアを各種工程（洗滌工程、消毒工程、アルコールフラッシュ工程、脱水工程）の際に循環させる、電磁弁、逆止弁等が介装された管路網、ポンプ、及びコンプレッサ等が配設されている。
【００２９】
また、装置本体２内には、上述した電磁弁、ポンプ、コンプレッサ等の電気部品を上記各種工程のプログラミングに従って駆動停止させる制御部も配設されている。
【００３０】
また、洗滌液、消毒液、及びアルコールの各流体は、装置本体２に配設された各種タンク内に貯留されている。尚、内視鏡洗滌消毒装置１には、装置本体２に接続された図示しないホース等により濯ぎ水として利用される他、洗浄液及び消毒液を希釈するための水道水が、水道栓から供給される構成となっている。
【００３１】
次に、上述した洗滌ブラシユニット２０及びユニット設置部５の構成について、図３〜図８を用いて説明する。図３は、図１の装置本体のユニット設置部に装着される洗滌ブラシユニットの外観を示す拡大斜視図、図４は、図３の洗滌ブラシユニットの内部の構成を示す斜視図、図５は、図１の装置本体のユニット設置部の拡大斜視図である。
【００３２】
また、図６は、図４の洗滌ブラシユニットを図５のユニット設置部に装着した際の、洗滌ブラシユニットの内部の構成を示す斜視図、図７は、図４の洗滌ブラシユニットを図５のユニット設置部に装着する状態を概略的に示す部分分解斜視図、図８は、図７の洗滌ブラシユニットを図７のユニット設置部に装着した際の、洗滌ブラシユニットの内部の構成を概略的に示す部分拡大斜視図である。
【００３３】
尚、図７、図８においては、後述するガイド部材３５、及び固定部材３６の詳しい形状を省略して概略的に示している。
【００３４】
図３に示すように、洗滌ブラシユニット２０は、排出側接続パイプ（以下、排出パイプと称す）２１と、ローラ収容部２２と、ベース体２３と、洗滌ブラシ収容部２４と、吸入側接続パイプ（以下、吸入パイプと称す）２５とを有して主要部が構成されている。
【００３５】
排出パイプ２１は、ローラ収容部２２の後述するガイド部材３５の移動方向（以下、Ｙ軸方向と称す）の略中央から、後述する洗滌ブラシ１００の送り戻し方向（以下、Ｘ軸方向と称す）の先端側に延出して形成されている。
【００３６】
また、洗滌ブラシユニット２０が、ユニット設置部５に装着された際、排出パイプ２１のＸ軸方向の先端は、洗滌消毒槽４に臨まれるとともに、洗滌消毒槽４の操作部載置部６に収容された内視鏡５０の操作部５１の処置具挿通管路の口金に対向して位置される。
【００３７】
さらに、排出パイプ２１の内部には、洗滌ブラシ１００及び洗滌液等が通過する図示しない管路が形成されている。
【００３８】
ローラ収容部２２は、平面的な形状が略楕円形の、少なくとも一部が透明部材または半透明部材から構成されたドーム状の外装部材２２ｇを有しており、外装部材２２ｇの排出側接続パイプ２１の管路と連通する内部２２ｉに、図４に示すように、送り戻し手段である駆動ローラ３４と、ガイド手段であるガイド部材３５と、固定手段である固定部材（以下、ストッパと称す）３６とが配設されている。即ち、駆動ローラ３４と、ガイド部材３５と、ストッパ３６とは、外装部材２２ｇにより覆われている。尚、外装部材２２ｇは、すべてが透明部材または半透明部材から構成されていても構わない。また、外装部材２２ｇに、透明部材または半透明部材から構成された覗き窓が形成されていても構わない。
【００３９】
駆動ローラ３４は、ユニット設置部５の底面５ｔ（図５参照）から起立する、底面５ｔに対し回動自在なローラ軸３４ｂにより、回動自在に軸支される。尚、ローラ軸３４ｂは、図示しない回動駆動モータにより回動される。
【００４０】
駆動ローラ３４は、ローラ軸３４ｂに回動に伴い、洗滌ブラシ１００を、洗滌ブラシ収容部２４の洗滌ブラシ収容室２４ｉから、内視鏡５０の処置具挿通管路に送り出す、または処置具挿通管路から、洗滌ブラシ収容室２４ｉに引き戻すものである。即ち、洗浄ブラシ収容室２４ｉと管路との間で送り戻しするものである。
【００４１】
ガイド部材３５は、洗滌ブラシ１００を、図６、図８に示す挟接位置Ｌ２において駆動ローラ３４との間で挟み込むことにより、洗滌ブラシ１００を駆動ローラ３４にガイドするとともに、洗滌ブラシ１００を駆動ローラ３４とともに送り出すまたは引き戻すものであり、外装部材２２ｇに一端が接続された付勢手段である付勢バネ３２の他端が接続されていることにより、常時、Ｙ軸方向において、駆動ローラ３４側に付勢されている。
【００４２】
ストッパ３６は、洗滌ブラシユニット２０がユニット設置部５に未装着の際、付勢バネ３２により、Ｙ軸方向において駆動ローラ３４側に付勢されているガイド部材３５を、Ｙ軸方向において、駆動ローラ３４から離間した離間位置Ｌ１に、図４、図７に示すように固定するものであり、例えば２本の薄板状部材から形成されている。
【００４３】
詳しくは、図７に示すように、２本のストッパ３６は、ローラ収容部２２の底面２２ｔに脚部３６ａがそれぞれ固定されており、底面２２ｔからガイド部材３５と同じ高さまたは以下の高さにおいてＹ軸方向において位置された２本の腕部３６ｈにより、付勢バネ３２によるＹ軸方向駆動ローラ３４側へのガイド部材３５の付勢を妨げ、ガイド部材３５の位置を離間位置Ｌ１に固定するものである。
【００４４】
尚、ストッパ３６によるガイド部材３５の離間位置Ｌ１への位置固定は、後述するが、洗滌ブラシユニット２０がユニット設置部５に装着された際、後述する解除ピン３１（図５、図７参照）により解除される。
【００４５】
また、２本のストッパ３６の各腕部３６ｈ及び駆動ローラ３４に対向するローラ収容部２２の底面２２ｔに、ローラ軸３４ｂ及び後述する２本の解除ピン３１が貫通する貫通孔２２ｋ（図７参照、尚、図７には、２本の解除ピン３１に対向する貫通孔２２ｋのみ図示）が形成されている。
【００４６】
ベース体２３は、洗滌ブラシユニット２０がユニット設置部５に装着された際、ユニット設置部５の底面５ｔに載置される部材であり、ローラ収容部２２の内部２２ｉに連通するとともに、洗滌ブラシ１００及び洗滌液等が通過する図示しない管路が形成されている。
【００４７】
洗滌ブラシ収容部２４は、Ｘ軸方向の斜め後方を指向してベース体２３の上部に固着されたＸ軸方向に短い円筒状の部材であり、洗滌ブラシ収容室２４ｉに、送り出す前または引き戻し後の洗滌ブラシ１００のシャフト１０２が巻回された状態で収容されている。また、洗滌ブラシ収容室２４ｉは、ベース体２３の管路、ローラ収容部２２の内部２２ｉ、排出パイプ２１の管路と連通している。
【００４８】
吸入パイプ２５は、Ｘ軸方向及びＹ軸方向に直交する高さ方向（以下、Ｚ軸方向と称す）の下方に延出するよう、洗滌ブラシ収容部２４のＸ軸方向の後端部に接続されている。吸入パイプ２５の内部の管路は、洗滌ブラシ収容室２４ｉ、ベース体２３の管路、ローラ収容部２２の内部２２ｉ、排出パイプ２１の管路に連通している。
【００４９】
吸入パイプ２５は、洗滌ブラシ収容室２４ｉに洗滌液、消毒液等を導入するためのものであり、その結果、導入された洗滌液により、洗滌ブラシ１００は洗滌消毒される。また、洗滌ブラシ収容室２４ｉに導入された洗滌液等は、ベース体２３の管路、ローラ収容部２２の内部２２ｉ、排出パイプ２１の管路を介して、内視鏡５０の処置具挿通管路に流入され、該管路を洗滌する。
【００５０】
洗滌ブラシ１００は、細長なシャフト１０２と、該シャフト１０２のＸ軸方向先端に配設されたブラシ部１０１とにより構成されている。洗滌ブラシ１００は、洗滌ブラシ収容室２４ｉから、駆動ローラ３４及びガイド部材３５により、ベース体２３の管路、ローラ収容部２２の内部２２ｉ、排出パイプ２１の管路を通過して内視鏡の処置具挿通管路に挿入される。
【００５１】
その後、処置具挿通管路に挿入された洗滌ブラシ１００は、駆動ローラ３４の正転、逆転に伴って、シャフト１０２の先端側を周状に覆う複数の毛部から構成されたブラシ部１０１の毛部により、処置具挿通管路を洗浄液とともに擦り洗いする。即ち洗滌する。
【００５２】
以上のように構成された洗滌ブラシユニット２０は、内視鏡洗滌消毒装置１の装置本体２のユニット設置部５に載置される。  
ユニット設置部５は、洗滌ブラシユニット２０のベース体２３が載置される底面５ｔを有している。
【００５３】
底面５ｔには、図５、図７に示すように、洗滌ブラシユニット２０が、ユニット設置部５に装着された際、駆動ローラ３４を回動自在に軸支する、底面５ｔからＺ軸方向に起立するローラ軸３４ｂと、底面５ｔからＺ軸方向に起立する解除手段である２本の解除ピン３１とが配設されている。
【００５４】
ローラ軸３４ｂは、洗滌ブラシユニット２０がユニット設置部５に装着された際、ローラ収容部２２の底面２２ｔの貫通孔２２ｋを貫通して、駆動ローラ３４を軸支する。
【００５５】
２本の解除ピン３１は、洗滌ブラシユニット２０がユニット設置部５に装着された際、２つのストッパ３６による離間位置Ｌ１におけるガイド部材３５の位置固定を解除して、ガイド部材３５を、付勢バネ３２に付勢により、Ｙ軸方向における挟接位置Ｌ２に移動させるものである。
【００５６】
詳しくは、２本の解除ピン３１は、洗滌ブラシユニット２０がユニット設置部５に装着された際、ローラ収容部２２の底面２２ｔの貫通孔２２ｋを貫通して、２本のストッパ３６の各腕部３６ｈを、図８に示すように、ガイド部材３５よりも底面２２ｔからＺ軸方向に高く持ち上げることにより、２本の腕部３６ｈによる付勢バネ３２の駆動ローラ３４へのＹ軸方向の付勢の妨げを解除するものである。
【００５７】
次に、本実施の形態の作用について説明する。  
先ず、内視鏡洗滌消毒装置１の装置本体２の洗滌消毒槽４に内視鏡５０が収容される。詳しくは、洗滌消毒槽４の操作部載置部６に内視鏡５０の操作部５１が載置され、挿入部載置部７に挿入部５２が巻回されて載置される。
【００５８】
その後、ユニット設置部５に、洗滌ブラシユニット２０が装着される。ここで、ユニット設置部５へ未装着の状態では、洗滌ブラシユニット２０のローラ収容部２２の内部２２ｉにおいては、上述した図４、図７に示すように、２本のストッパ３６の各腕部３６ｈが付勢バネ３２のＹ軸方向駆動ローラ３４側へのガイド部材３５の付勢を妨げることにより、ガイド部材３５が、駆動ローラ３４からＹ軸方向に離間した離間位置Ｌ１に位置されている。即ち、洗浄ブラシユニット２０は、ガイド部材３５が、２本のストッパ３６により、駆動ローラ３４から離間して離間位置Ｌ１に位置するよう組み立てられる。
【００５９】
尚、このことは、ローラ収容部２２の外装部材２２ｇが、透明部材または半透明部材から構成されていることにより、使用者により容易に視認される。
【００６０】
その後、ユニット設置部５に、洗滌ブラシユニット２０が装着されると、図６、図８に示すように、ローラ軸３４ｂは、ローラ収容部２２の底面２２ｔの貫通孔２２ｋを貫通して、駆動ローラ３４を軸支するとともに、２本の解除ピン３１は、ローラ収容部２２の底面２２ｔの貫通孔２２ｋを貫通して、２本のストッパ３６の各腕部３６ｈを、ガイド部材３５よりも底面２２ｔからＺ軸方向に高く持ち上げることにより、２本の腕部３６ｈによる付勢バネ３２の駆動ローラ３４へのＹ軸方向の付勢の妨げを解除する。
【００６１】
その結果、付勢バネ３２により、ガイド部材３５は、駆動ローラ３４に向けて、Ｙ軸方向に付勢され、挟接位置Ｌ２において、駆動ローラ３４との間に、洗滌ブラシ１００のシャフト１０２を挟み込む。
【００６２】
次いで、駆動ローラ３４が回動され、ガイド部材３５により洗滌ブラシ１００が駆動ローラ３４へガイドされることにより、洗滌ブラシ１００が、洗滌ブラシ収容室２４ｉから、洗滌消毒槽４に収容された内視鏡５０の処置具挿通管路に向けてＸ軸方向に、洗滌液とともに排出パイプ２１から送り出される。
【００６３】
その後、洗浄ブラシ１００が、処置具挿通管路に挿入され、駆動ローラ３４により、洗滌ブラシ１００がＸ軸方向に前後されることにより、洗滌ブラシ１００のブラシ部１０１により、処置具挿通管路は、洗滌液とともに擦り洗いされる。即ち、洗滌される。
【００６４】
処置具挿通管路の洗滌後、駆動ローラ３４により、洗滌ブラシ１００が、処置具挿通管路から抜去され、排出パイプ２１を介して洗滌ブラシ収容室２４ｉに引き戻される。その後、洗滌ブラシユニット２０が、ユニット設置部５から脱却される。
【００６５】
この際、２本の解除ピン３１は、貫通孔２２ｋを介して、ローラ収容部２２の内部２２ｉから抜去されるが、２本のストッパ３６は、それぞれ、ガイド部材３５よりも、Ｚ軸方向に高く持ち上げられたままであるため、２本の解除ピン３１が抜去されても、ガイド部材３５は、駆動ローラ３４に付勢バネ３２によりＹ軸方向に付勢されたままである。即ち、ガイド部材３５は、離間位置Ｌ１に戻らず、挟接位置Ｌ２に位置したままである。
【００６６】
尚、この際、洗滌ブラシ１００は、洗滌ブラシ収容室２４ｉに収容されているため、ガイド部材３５と駆動ローラ３４との間に、シャフト１０２は、挟み込まれていない。
【００６７】
このように、本実施の形態においては、洗滌ブラシユニット２０が、ユニット設置部５に未装着の際、ガイド部材３５は、２本のストッパ３６により、駆動ローラ３４からＹ軸方向に離間した離間位置Ｌ１に位置していると示した。
【００６８】
また、洗滌ブラシユニット２０のローラ収容部２２の外装部材２２ｇの少なくとも一部が、透明部材または半透明部材から構成されていることにより、ガイド部材３５が離間位置Ｌ１に位置していることを、使用者は容易に視認できると示した。
【００６９】
このことによれば、洗滌ブラシユニット２０が未使用の際は、ガイド部材３５は、駆動ローラ３４とともに、洗滌ブラシ１００のシャフト１０２を挟む込むことがないので、未使用状態における挟み込みに伴う、駆動ローラ３４とガイド部材３５との少なくとも一方の変形を確実に防止することができる。
【００７０】
また、使用者は、ローラ収容部２２の外装部材２２ｇを介して、ローラ収容部２２の内部２２ｉの状態、即ち、ガイド部材３５が、離間位置Ｌ１に位置していることを容易に視認できることから、洗滌ブラシユニット２０が未使用品であることを容易に認識することができる。
【００７１】
さらに、本実施の形態においては、洗滌ブラシユニット２０をユニット設置部５から脱却した際、ガイド部材３５が、駆動ローラ３４に付勢された状態、即ち、挟接位置Ｌ２に位置されたままとなると示した。
【００７２】
このことによれば、使用者は、ローラ収容部２２の外装部材２２ｇを介して、ガイド部材３５が挟接位置Ｌ２に位置されることを視認することにより、洗滌ブラシユニット２０が、使用済みであることを容易に確認することができることから、洗滌ブラシユニット２０の再使用を防止することができる。
【００７３】
（第２実施の形態）
図９は、本発明の第２実施の形態を示す内視鏡洗滌消毒装置の洗滌ブラシユニットの内部の構成を示す斜視図、図１０は、本実施の形態の装置本体のユニット設置部の拡大斜視図である。
【００７４】
また、図１１は、図９の洗滌ブラシユニットを図１０のユニット設置部に装着した際の、洗滌ブラシユニットの内部の構成を示す斜視図、図１２は、図９の洗滌ブラシユニットを図１０のユニット設置部に装着する状態を概略的に示す部分分解斜視図、図１３は、図９の洗滌ブラシユニットを図１０のユニット設置部に装着した際の、洗滌ブラシユニットの内部の構成を概略的に示す部分拡大斜視図である。
【００７５】
さらに、図１４は、図９の洗滌ブラシユニットが図１０のユニット設置部に未装着な状態における解除ピンとガイド部材との位置関係を示す部分断面図、図１５は、図９の洗滌ブラシユニットが図１０のユニット設置部に装着されている途中の状態における解除ピンとガイド部材との位置関係を示す部分断面図、図１６は、図９の洗滌ブラシユニットが図１０のユニット設置部に装着された後の状態における解除ピンとガイド部材との位置関係を示す部分断面図である。
【００７６】
尚、図１２、図１３においては、後述するガイド部材１３５、及びストッパ１３６の詳しい形状を省略して概略的に示している。
【００７７】
この第２実施の形態の内視鏡洗滌消毒装置の構成は、上記図１〜図８に示した内視鏡洗滌消毒装置と比して、洗滌ブラシユニットにおけるガイド部材及びストッパの形状と、ユニット設置部における解除ピンの形状とが異なる。また、解除ピン自体がストッパを動かすのではなく、ガイド部材を動かす点が異なる。よって、この相違点のみを説明し、第１実施の形態と同様の構成には同じ符号を付し、その説明は省略する。
【００７８】
ローラ収容部２２の外装部材２２ｇの内部２２ｉに、図９に示すように、駆動ローラ３４と、ガイド手段であるガイド部材１３５と、固定手段であるストッパ１３６とが配設されている。即ち、駆動ローラ３４と、ガイド部材１３５と、ストッパ１３６とは、外装部材２２ｇにより覆われている。
【００７９】
ガイド部材１３５は、洗滌ブラシ１００を、図１１、図１３に示す挟接位置Ｌ４において駆動ローラ３４との間で挟み込むことにより、洗滌ブラシ１００を駆動ローラ３４にガイドするとともに、洗滌ブラシ１００を駆動ローラ３４とともに送り出すまたは引き戻すものである。
【００８０】
また、ガイド部材１３５は、Ｚ軸方向において、例えば短円筒状に形成されている。即ち、ガイド部材１３５のＺ軸方向の略中央には、貫通孔１３５ｋ（図１２参照）が形成されている。
【００８１】
ストッパ１３６は、洗滌ブラシユニット２０がユニット設置部５に未装着の際、ガイド部材１３５を、Ｙ軸方向において、駆動ローラ３４から離間した離間位置Ｌ３に、図９、図１２に示すように固定するものであり、例えばＸ軸方向において対向する２本のバネ性を有する部材から形成されている。
【００８２】
詳しくは、図１２に示すように、２本のストッパ１３６は、ローラ収容部２２の底面２２ｔ及び外装部材２２ｇにＸ軸方向において、互いに対向するようそれぞれ固定されており、ガイド部材１３５をＸ軸方向において挟持することにより、ガイド部材１３５を離間位置Ｌ３に固定するものである。
【００８３】
尚、ストッパ１３６によるガイド部材１３５の離間位置Ｌ３への固定は、後述するが、洗滌ブラシユニット２０がユニット設置部５に装着された際、後述する解除ピン１３１（図１０、図１２参照）により解除される。
【００８４】
また、ガイド部材１３５の貫通孔１３５ｋ及び駆動ローラ３４に対向するローラ収容部２２の底面２２ｔに、ローラ軸３４ｂ及び解除ピン１３１が貫通する、貫通孔１２２ｋ（図１４、図１５参照、尚、図１４、図１５には、貫通孔１３５ｋに対向する貫通孔１２２ｋのみ図示）が形成されている。
【００８５】
以上のように構成された本実施の形態の洗滌ブラシユニット２０は、装置本体２のユニット設置部５に載置される。  
ユニット設置部５の底面５ｔには、図１０、図１２に示すように、ローラ軸３４ｂと、底面５ｔからＺ軸方向に起立する解除手段である解除ピン１３１とが配設されている。尚、解除ピン１３１は、貫通孔１３５ｋよりも、図１４に示すように、Ｙ軸方向駆動ローラ３４側に配設されている。
【００８６】
解除ピン１３１は、洗滌ブラシユニット２０がユニット設置部５に装着された際、２つのストッパ１３６による離間位置Ｌ３におけるガイド部材１３５の位置固定を解除して、ガイド部材１３５を、Ｙ軸方向における挟接位置Ｌ４へと移動させるものである。
【００８７】
詳しくは、解除ピン１３１のＺ軸方向の先端には、図１０、図１３、図１４に示すように、Ｙ軸方向において駆動ローラ３４側を指向するテーパ面１３１ｔが形成されている。解除ピン１３１は、洗滌ブラシユニット２０がユニット設置部５に装着される最中に、図１５に示すように、ローラ収容部２２の底面２２ｔの貫通孔１２２ｋを貫通して貫通孔１３５ｋに進入した後、テーパ面１３１ｔにより、２本のストッパ１３６からガイド部材１３５をＹ軸方向において駆動ローラ３４側に押し出す。
【００８８】
その結果、解除ピン１３１は、洗滌ブラシユニット２０がユニット設置部５に装着後、図１６に示すように、ガイド部材１３５の貫通孔１３５ｋを完全に貫通した状態において、２本のストッパ１３６のガイド部材１３５の挟持を解除する。
【００８９】
次に、本実施の形態の作用について説明する。尚、本実施の形態の作用においても、上述した第１実施形態の作用と同様の場合は、記載は省略する。
【００９０】
先ず、装置本体２の洗滌消毒槽４に内視鏡５０が収容された後、ユニット設置部５に、洗滌ブラシユニット２０が装着される。ここで、ユニット設置部５へ未装着の状態では、洗滌ブラシユニット２０のローラ収容部２２の内部２２ｉにおいては、上述した図９、図１２に示すように、２本のストッパ１３６がガイド部材１３５をＸ軸方向において挟持していることにより、ガイド部材１３５が、駆動ローラ３４からＹ軸方向に離間した離間位置Ｌ３に位置されている。尚、このことは、ローラ収容部２２の外装部材２２ｇの少なくとも一部が、透明部材または半透明部材から構成されていることにより、使用者により容易に視認される。
【００９１】
その後、ユニット設置部５に、洗滌ブラシユニット２０が装着され始めると、ローラ軸３４ｂは、ローラ収容部２２の底面２２ｔの貫通孔１２２ｋを貫通して、駆動ローラ３４を軸支し始めるとともに、図１５に示すように、解除ピン１３１は、ローラ収容部２２の底面２２ｔの貫通孔１２２ｋを貫通して、ガイド部材１３５の貫通孔１３５ｋに進入しながら、テーパ面１３１ｔにより、２本のストッパ１３６からガイド部材１３５をＹ軸方向において駆動ローラ３４側に押し出す。
【００９２】
次いで、ユニット設置部５に、洗滌ブラシユニット２０が装着されると、図１１、図１３に示すように、ローラ軸３４ｂは、駆動ローラ３４を軸支し、図１６に示すように、解除ピン１３１は、ガイド部材１３５の貫通孔１３５ｋを貫通した状態において、２本のストッパ１３６によるガイド部材１３５の挟持を解除する。
【００９３】
その結果、ガイド部材３５は、２本のストッパ１３６のＹ軸方向の先端にて、駆動ローラ３４に向けて、Ｙ軸方向に付勢され、挟接位置Ｌ４において、駆動ローラ３４との間に、洗滌ブラシ１００のシャフト１０２を挟み込む。
【００９４】
その後、送り出された洗滌ブラシ１００による処置具挿通管路の洗滌後、駆動ローラ３４により、洗滌ブラシ１００が、処置具挿通管路から洗滌ブラシ収容室２４ｉに引き戻される。その後、洗滌ブラシユニット２０が、ユニット設置部５から脱却される。
【００９５】
この際、解除ピン１３１は、貫通孔１３５ｋ、貫通孔１２２ｋを介して、ローラ収容部２２の内部２２ｉから抜去されるが、２本のストッパ１３６のＹ軸方向の各先端は、それぞれ、ガイド部材１３５を、Ｙ軸方向、駆動ローラ３４に向けて付勢したままであるため、解除ピン１３１が抜去されても、ガイド部材１３５は、駆動ローラ３４に２本のストッパ１３６によりＹ軸方向に付勢されたままである。即ち、ガイド部材１３５は、離間位置Ｌ３に戻らず、挟接位置Ｌ４に位置したままである。
【００９６】
尚、この際、洗滌ブラシ１００は、洗滌ブラシ収容室２４ｉに収容されているため、ガイド部材１３５と駆動ローラ３４との間に、シャフト１０２は、挟み込まれていない。
【００９７】
このような第２実施の形態の構成によっても、上述した第１実施形態と同様の効果を得ることができる。
【００９８】
（第３実施の形態）
図１７は、本発明の第３実施の形態を示す内視鏡洗滌消毒装置の洗滌ブラシユニットの内部の構成を、装置本体の移動機構とともに示す斜視図、図１８は、図１７の移動機構により、ガイド部材が離間位置と挟接位置との間を移動する状態を概略的に示す断面図である。
【００９９】
この第３実施の形態の内視鏡洗滌消毒装置の構成は、上記図９〜図１６に示した第２実施の形態の内視鏡洗滌消毒装置と比して、ユニット設置部における解除ピンの形状と、解除ピンがＹ軸方向に移動機構により移動する点が異なる。よって、この相違点のみを説明し、第２実施の形態と同様の構成には同じ符号を付し、その説明は省略する。
【０１００】
ローラ収容部２２の外装部材２２ｇの内部２２ｉに、図１７に示すように、駆動ローラ３４と、ガイド手段であるガイド部材２３５と、固定手段であるストッパ２３６とが配設されている。即ち、駆動ローラ３４と、ガイド部材２３５と、ストッパ２３６とは、外装部材２２ｇにより覆われている。
【０１０１】
ガイド部材２３５は、洗滌ブラシ１００を、図１８に示す挟接位置Ｌ６において駆動ローラ３４との間で挟み込むことにより、洗滌ブラシ１００を駆動ローラ３４にガイドするとともに、洗滌ブラシ１００を駆動ローラ３４とともに送り出すまたは引き戻すものである。
【０１０２】
また、ガイド部材２３５は、Ｚ軸方向において、例えば短円筒状に形成されている。即ち、ガイド部材２３５のＺ軸方向の略中央には、貫通孔２３５ｋ（図１８参照）が形成されている。
【０１０３】
ストッパ２３６は、洗滌ブラシユニット２０がユニット設置部５に未装着の際、ガイド部材１３５を、Ｙ軸方向において、駆動ローラ３４から離間した離間位置Ｌ５に、図１７に示すように位置固定するものであり、例えばＸ軸方向において対向する２本のバネ性を有する部材から形成されている。
【０１０４】
詳しくは、図１７に示すように、２本のストッパ２３６は、ローラ収容部２２の底面２２ｔ及び外装部材２２ｇにＸ軸方向において、互いに対向するようそれぞれ固定されており、ガイド部材２３５をＸ軸方向において挟持することにより、ガイド部材２３５を離間位置Ｌ５に固定するものである。
【０１０５】
尚、ストッパ２３６によるガイド部材２３５の離間位置Ｌ５への固定は、後述するが、洗滌ブラシユニット２０がユニット設置部５に装着された際、後述する解除ピン２３１により解除される。
【０１０６】
また、ガイド部材２３５の貫通孔２３５ｋ、及び駆動ローラ３４に対向するローラ収容部２２の底面２２ｔに、ローラ軸３４ｂ及び解除ピン２３１が貫通する、図示しない貫通孔が形成されている。
【０１０７】
以上のように構成された本実施の形態の洗滌ブラシユニット２０は、装置本体２のユニット設置部５に載置される。  
ユニット設置部５の底面５ｔには、図１７に示すように、ローラ軸３４ｂと、底面５ｔからＺ軸方向に起立する解除手段である解除ピン２３１と、解除ピン２３１を、離間位置Ｌ５と挟接位置Ｌ６との間において移動させる移動手段である移動機構２３２とが配設されている。尚、移動機構２３２は、装置本体２に配設された図示しない制御装置により、移動制御される。
【０１０８】
また、ユニット設置部５には、洗滌ブラシユニット２０が装着脱却を検知するセンサ２１３が配設されている。尚、センサ２１３は、スイッチや光センサ、磁気センサ、超音波センサ、近接センサ等により構成されている。
【０１０９】
解除ピン２３１は、洗滌ブラシユニット２０がユニット設置部５に装着された後、ガイド部材２３５の貫通孔２３５ｋに嵌入される。その後、移動機構２３２によりＹ軸方向において離間位置Ｌ５から挟接位置Ｌ６まで移動されることにより、２つのストッパ２３６のガイド部材２３５の挟持を解除する。
【０１１０】
移動機構２３２は、センサ２１３により、洗滌ブラシユニット２０がユニット設置部５に装着されたと検知された際、２つのストッパ１３６による離間位置Ｌ５における位置固定を、解除ピン２３１を移動させることにより解除して、ガイド部材２３５を、Ｙ軸方向における挟接位置Ｌ６に移動させるものである。
【０１１１】
また、移動機構２３２は、センサ２１３により、洗滌ブラシユニット２０がユニット設置部５から脱却されたと検知された際、解除ピン２３１を移動させることにより、ガイド部材１３５を、Ｙ軸方向における挟接位置Ｌ６から、離間位置Ｌ５まで移動させるものである。
【０１１２】
尚、移動機構２３２は、モータとギヤまたはローラ等の組み合わせや、ソレノイドと直結する方法等により、解除ピン２３１を、制御装置に移動制御により移動させる。
【０１１３】
次に、本実施の形態の作用について説明する。尚、本実施の形態の作用においても、上述した第２実施形態の作用と同様の場合は、記載は省略する。
【０１１４】
先ず、装置本体２の洗滌消毒槽４に内視鏡５０が収容され後、ユニット設置部５に、洗滌ブラシユニット２０が装着される。この装着は、センサ２１３により検知される。
【０１１５】
ここで、ユニット設置部５へ未装着の状態では、洗滌ブラシユニット２０のローラ収容部２２の内部２２ｉにおいては、上述した図１７に示すように、２本のストッパ２３６がガイド部材２３５をＸ軸方向において挟持していることにより、ガイド部材２３５が、駆動ローラ３４からＹ軸方向に離間した離間位置Ｌ５に位置されている。尚、このことは、ローラ収容部２２の外装部材２２ｇの少なくとも一部が、透明部材または半透明部材から構成されていることにより、使用者により容易に視認される。
【０１１６】
次いで、ユニット設置部５に、洗滌ブラシユニット２０が装着されると、ローラ軸３４ｂは、ローラ収容部２２の底面２２ｔの貫通孔を貫通して、駆動ローラ３４を軸支するとともに、図１７、図１８に示すように、解除ピン２３１は、ローラ収容部２２の底面２２ｔの貫通孔を貫通して、ガイド部材２３５の貫通孔２３５ｋを貫通する。
【０１１７】
その後、移動機構２３２により、解除ピン２３１が、図１８に示すように、離間位置Ｌ５から挟接位置Ｌ６にＹ軸方向に移動されると、解除ピン２３１により、２本のストッパ２３６によるガイド部材２３５の挟持が解除される。
【０１１８】
その結果、ガイド部材２３５は、挟接位置Ｌ６において、図１８に示すように、駆動ローラ３４との間に、洗滌ブラシ１００のシャフト１０２を挟み込む。
【０１１９】
その後、送り出された洗滌ブラシ１００による処置具挿通管路の洗滌後、駆動ローラ３４により、洗滌ブラシ１００が、処置具挿通管路から洗滌ブラシ収容室２４ｉに引き戻される。その後、洗滌ブラシユニット２０が、ユニット設置部５から脱却される。尚、この脱却は、センサ２１３により検知される。
【０１２０】
この際、解除ピン２３１は、貫通孔１３５ｋ、貫通孔１２２ｋを介して、ローラ収容部２２の内部２２ｉから抜去されるともに、移動機構２３２により、離間位置Ｌ５まで移動される。
【０１２１】
しかしながら、２本のストッパ２３６のＹ軸方向の各先端は、それぞれ、ガイド部材２３５を、Ｙ軸方向、駆動ローラ３４に向けて付勢したままであるため、解除ピン２３１が抜去されても、ガイド部材２３５は、駆動ローラ３４に２本のストッパ２３６によりＹ軸方向に付勢されたままである。即ち、ガイド部材２３５は、離間位置Ｌ５に戻らず、挟接位置Ｌ６に位置したままである。
【０１２２】
尚、この際、洗滌ブラシ１００は、洗滌ブラシ収容室２４ｉに収容されているため、ガイド部材１３５と駆動ローラ３４との間に、シャフト１０２は、挟み込まれていない。
【０１２３】
このような第３実施の形態の構成によっても、上述した第２実施形態と同様の効果を得ることができる。
【０１２４】
尚、以下、変形例を示す。  
本実施の形態においては、解除ピン２３１は、ユニット設置部５の移動機構２３２に配設されていると示した。これに限らず、解除ピン２３１は、洗滌ブラシユニット２０に配設されていても構わない。具体的には、ガイド部材２３５またはストッパ２３６において、Ｚ軸方向下方に延出するよう固定されていても構わない。
【０１２５】
この場合、洗滌ブラシユニット２０がユニット設置部５に装着された際、解除ピン２３１は、移動機構２３２に形成された受け部に嵌入した後、移動機構２３２に移動に伴って、挟接位置Ｌ６と離間位置Ｌ５との間をＹ軸方向に移動する。
【０１２６】
このような構成によっても、離間位置Ｌ５におけるガイド部材２３５に対するストッパ２３６の挟持による固定を、解除ピン２３１は解除することができる。即ち、第３実施の形態と同様の効果を得ることができる。
【０１２７】
また、上述した第１〜第３実施の形態においては、洗滌ブラシユニット２０は、洗滌ブラシ１００を、内視鏡５０の処置具挿通管路に挿入し、該処置具挿通管路を洗滌するために用いると示したが、これに限らず、洗滌ブラシ１００を、内視鏡５０の送水管路または送気管路に挿入し、送水管路または送気管路を洗滌するために用いても構わないということは勿論である。あるいは、前方送水管路を洗滌するために用いても構わない。
【０１２８】
［付記］
以上詳述した如く、本発明の実施の形態によれば、以下の如き構成を得ることができる。即ち、
（１）内視鏡管路を洗滌するための洗滌ブラシと、
前記洗滌ブラシを送り出すまたは引き戻すための送り戻し手段と、
前記送り戻し手段と協働して前記洗滌ブラシを動作させるガイド手段と、
を有する洗滌ブラシユニットにおいて、
前記ガイド手段と前記送り戻し手段との間に前記洗滌ブラシが配置されているとともに、前記ガイド手段を前記送り戻し手段に接しない位置に固定する固定手段と、
内視鏡洗滌消毒装置にセットしたときに前記固定手段を解除する解除手段と
を具備することを特徴とする洗滌ブラシユニット
（２）前記解除手段は、前記固定手段を解除したとき前記送り出し戻し手段と協働して前記洗滌ブラシを動作させる所定の位置に前記ガイド手段を移動させることを特徴とする付記１記載の洗滌ブラシユニット
（３）内視鏡内部に設けられている管路を洗滌する洗浄ブラシと、前記洗浄ブラシを送り出すまたは引き戻すローラと、前記洗浄ブラシを前記ローラにガイドするガイド部材とを収納する洗浄ブラシユニットにおいて、
内視鏡洗滌消毒装置にセットされるまでは、前記ガイド部材が前記ローラに押し付けられないように固定されるステップおよび構造を特徴とする洗滌ブラシユニット。
【０１２９】
（４）前記内視鏡洗浄消毒装置にセットすると、前記ガイド部材を固定するストッパが解除され、前記ローラへ前記ガイド部材を押し付けることで前記洗浄ブラシを送り出し、または引き戻すことが可能となるステップおよび構造を特徴とする付記３に記載の洗滌ブラシユニット。
【０１３０】
（５）透明部品、半透明部品もしくは覗き窓を持つ部品を有する外装部材を用いて未使用品か使用済み品かの識別を可能とする誤使用の防止方法を特徴とする付記３または４に記載の洗滌ブラシユニット。
【図面の簡単な説明】
【０１３１】
【図１】本発明の第１実施の形態を示す内視鏡洗滌消毒装置を、トップカバーが開成された状態で、洗滌消毒槽に収容された内視鏡とともに示す斜視図。
【図２】図１の内視鏡洗滌消毒装置を、トップカバーが閉成された状態で示す斜視図。
【図３】図１の装置本体のユニット設置部に装着される洗滌ブラシユニットの外観を示す拡大斜視図。
【図４】図３の洗滌ブラシユニットの内部の構成を示す斜視図。
【図５】図１の装置本体のユニット設置部の拡大斜視図。
【図６】図４の洗滌ブラシユニットを図５のユニット設置部に装着した際の、洗滌ブラシユニットの内部の構成を示す斜視図。
【図７】図４の洗滌ブラシユニットを図５のユニット設置部に装着する状態を概略的に示す部分分解斜視図。
【図８】図７の洗滌ブラシユニットを図７のユニット設置部に装着した際の、洗滌ブラシユニットの内部の構成を概略的に示す部分拡大斜視図。
【図９】本発明の第２実施の形態を示す内視鏡洗滌消毒装置の洗滌ブラシユニットの内部の構成を示す斜視図。
【図１０】本実施の形態の装置本体のユニット設置部の拡大斜視図。
【図１１】図９の洗滌ブラシユニットを図１０のユニット設置部に装着した際の、洗滌ブラシユニットの内部の構成を示す斜視図。
【図１２】図９の洗滌ブラシユニットを図１０のユニット設置部に装着する状態を概略的に示す部分分解斜視図。
【図１３】図９の洗滌ブラシユニットを図１０のユニット設置部に装着した際の、洗滌ブラシユニットの内部の構成を概略的に示す部分拡大斜視図。
【図１４】図９の洗滌ブラシユニットが図１０のユニット設置部に未装着な状態における解除ピンとガイド部材との位置関係を示す部分断面図。
【図１５】図９の洗滌ブラシユニットが図１０のユニット設置部に装着されている途中の状態における解除ピンとガイド部材との位置関係を示す部分断面図。
【図１６】図９の洗滌ブラシユニットが図１０のユニット設置部に装着された後の状態における解除ピンとガイド部材との位置関係を示す部分断面図。
【図１７】本発明の第３実施の形態を示す内視鏡洗滌消毒装置の洗滌ブラシユニットの内部の構成を、装置本体の移動機構とともに示す斜視図。
【図１８】図１７の移動機構により、ガイド部材が離間位置と挟接位置との間を移動する状態を概略的に示す断面図。
【符号の説明】
【０１３２】
１…内視鏡洗浄消毒装置
２…装置本体
４…洗浄消毒槽
２０…洗浄ブラシユニット
２２ｇ…外装部材
２２ｔ…ローラ収容部の底面
２４ｉ…洗浄ブラシ収容室
３１…解除ピン
３２…付勢バネ
３４…駆動ローラ
３５…ガイド部材
３６…ストッパ
３６ａ…脚部
３６ｈ…腕部
５０…内視鏡
１００…洗浄ブラシ
１３１…解除ピン
１３１ｔ…テーパ面
１３５…ガイド部材
１３５ｋ…貫通孔
１３６…ストッパ
２１３…センサ
２３１…解除ピン
２３２…移動機構
２３５…ガイド部材
２３５ｋ…貫通孔
２３６…ストッパ
Ｌ２、Ｌ４、Ｌ６…挟接位置
Ｌ１、Ｌ３，Ｌ５…離間位置
【図１】
2007289511.tif 000003
【図２】
2007289511.tif 000004
【図３】
2007289511.tif 000005
【図４】
2007289511.tif 000006
【図５】
2007289511.tif 000007
【図６】
2007289511.tif 000008
【図７】
2007289511.tif 000009
【図８】
2007289511.tif 000010
【図９】
2007289511.tif 000011
【図１０】
2007289511.tif 000012
【図１１】
2007289511.tif 000013
【図１２】
2007289511.tif 000014
【図１３】
2007289511.tif 000015
【図１４】
2007289511.tif 000016
【図１５】
2007289511.tif 000017
【図１６】
2007289511.tif 000018
【図１７】
2007289511.tif 000019
【図１８】
2007289511.tif 000020